【手続補正書】
【提出日】平成15年2月20日(2003.2.20)
【手続補正１】
【補正対象書類名】明細書
【補正対象項目名】特許請求の範囲
【補正方法】変更
【補正の内容】
【特許請求の範囲】
【請求項１】
生体適合性粘着剤組成物であって、該生体適合性粘着剤組成物は
第一のモノマー種；及び
前記第一のモノマー種とは異なっている第ニのモノマー種から成り、
ここで少なくとも前記第一のモノマー種は吸収性であり、かつ、
前記第一のモノマー種の吸収速度は、前記第二のモノマー種の吸収速度とは異なり、
ここで前記第一のモノマー種は、アルキルエステルシアノアクリラート（ａｌｋｙｌ ｅｓｔｅｒ ｃｙａｎｏａｃｒｙｌａｔｅ）及びアルキルエーテルシアノアクリラート（ａｌｋｙｌ ｅｔｈｅｒ ｃｙａｎｏａｃｒｙｌａｔｅ）の少なくとも一つであり、
ここで前記アルキルエステルシアノアクリラートが下記の化学式を有し、
【化１】
2004505121.tif 000001
ここでＲ１とＲ２は独立した水素、直鎖の、分枝した又は環状のアルキル基であるか、又は環状アルキル基中で連結しており、かつＲ３は直鎖の、分枝した又は環状のアルキル基であり、
かつ前記アルキルエーテルシアノアクリラートが下記の化学式を有し、
【化２】
2004505121.tif 000002
ここでＲ１は直鎖の、分枝した又は環状のアルキル基であり、かつＲ２は直鎖の、分枝した又は環状のアルキル基である、前記生体適合性粘着剤組成物。
【請求項２】
第一のモノマー種はアルキルエステルシアノアクリラートである、請求項１記載の生体適合性粘着剤組成物。
【請求項３】
前記アルキルエステルシアノアクリラートが、ブチルラクトイルシアノアクリラート、ブチルグリコロイルシアノアクリラート、イソプロピルグリコロイルシアノアクリラート、エチルラクトイルシアノアクリラート、及びエチルグリコロイルシアノアクリラートから成る群から選択された、請求項２記載の生体適合性粘着剤組成物。
【請求項４】
前記第一のモノマー種がアルキルエーテルシアノアクリラート（ａｌｋｙｌ ｅｔｈｅｒ ｃｙａｎｏａｃｒｙｌａｔｅ）である、請求項１記載の生体適合性粘着剤組成物。
【請求項５】
前記アルキルエーテルシアノアクリラートが、イソプロポキシエチルシアノアクリラート及びメトキシブチルシアノアクリラートから成る群から選択された、請求項４記載の生体適合性粘着剤組成物。
【請求項６】
前記第二のモノマー種が、アルキルエステルシアノアクリラート及びアルキルエーテルシアノアクリラート以外のシアノアクリラートである、請求項１記載の生体適合性粘着剤組成物。
【請求項７】
前記第二のモノマー種が、約２から約１２個の炭素原子数のアルキル基を有するα−シアノアクリラートである、請求項６記載の生体適合性粘着剤組成物。
【請求項８】
前記第二のモノマー種に対する前記第一のモノマー種の重量比が、約２５：７５から約７５：２５である、請求項１記載の生体適合性粘着剤組成物。
【請求項９】
前記組成物が、陰イオン性安定化剤、フリーラジカル安定化剤、着色剤及び可塑剤から成る群から選択された少なくとも一つの添加剤を更に含む、請求項１記載の生体適合性粘着剤組成物。
【請求項１０】
請求項１記載の生体適合性粘着剤組成物であって、該組成物が；
モノマー混合物であって、約２５から約４０重量部のブチルラクトイルシアノアクリラート、及び約６０から約７５重量部のオクチルシアノアクリラート（ＯＣＡ）から成る前記モノマー混合物、
少なくとも一つの陰イオン性安定化剤；及び
少なくとも一つのラジカル安定化剤、
から成る、前記生体適合性粘着剤組成物。
【請求項１１】
前記少なくとも一つの陰イオン性安定化剤が、約２５ｐｐｍから約１００ｐｐｍの硫酸と約１から約５０ｐｐｍの二酸化硫黄であり、かつ、前記少なくとも一つのラジカル安定化剤が、約１００から約２０００ｐｐｍのヒドロキノン、約１０から約２００ｐｐｍのｐ−メトキシフェノールと約１００から約１０，０００ｐｐｍのブチル化ヒドロキシアニソールである、請求項１０記載の生体適合性粘着剤組成物。
【請求項１２】
生体組織を治療する方法であって、
該方法は、少なくとも１つのアルキルエステルシアノアクリラートモノマー及び重合開始剤又は促進剤から成る生体適合性粘着剤組成物を、生物の生体組織に適用することからなり、ここで前記重合開始剤又は促進剤は四級アミンであり、
ここで前記アルキルエステルシアノアクリラートモノマーは下記の化学式を有し、
【化３】
2004505121.tif 000003
ここでＲ１とＲ２は独立した水素、直鎖の、分枝した又は環状のアルキル基であるか、又は環状アルキル基中で連結しており、かつＲ３は直鎖の、分枝した又は環状のアルキル基である、前記方法。
【請求項１３】
前記生体組織が内臓である、請求項１２記載の方法。
【請求項１４】
２つ又はそれ以上の重合開始剤又は促進剤を前記生体組織に適用する、請求項１２記載の方法。
【請求項１５】
前記組成物を生体組織に適用する前に、前記重合開始剤又は促進剤が前記少なくとも一つのモノマーと結合している、請求項１２記載の方法。
【請求項１６】
請求項１２記載の方法であって、前記重合開始剤又は促進剤が下記の化学式を有し、
【化４】
2004505121.tif 000004
ここで、Ｒ４、Ｒ５、Ｒ６とＲ７は各々独立した水素又は置換された又は置換されていない直鎖の、分枝した又は環状のアルキル基；置換された又は置換されていない芳香族基；置換された又は置換されていないアラルキル（ａｒａｌｋｙｌ）基；若しくは一つ又はそれ以上のヘテロ原子を含んでいる、置換された又は置換されていないアルキル基又は芳香族基であり；かつＸ−が陰イオンである、前記方法。
【請求項１７】
Ｒ４、Ｒ５、Ｒ６とＲ７の少なくとも一つが、芳香族環及びヘテロ原子を含む結合（ｌｉｎｋａｇｅ）からなる群から選択されたメンバーの少なくとも一つである、請求項１６記載の方法。
【請求項１８】
Ｘ−がハロゲンラジカルである、請求項１６記載の方法。
【請求項１９】
前記重合化開始剤又は促進剤が、臭化ドミフェン、塩化ブチリルコリン、臭化ベンザルコニウム、塩化ベンザイルコニウム及び塩化アセチルコリンから成る群から選択されたメンバーの少なくとも一つである、請求項１２記載の方法。
【請求項２０】
創傷を閉じる（ｃｌｏｓｅ）ために又は塞ぐ（ｓｅａｌ）ために使用する、請求項１２記載の方法。
【請求項２１】
販売可能なパッケージからなるキットであって、該パッケージは；
少なくとも一つのアルキルエステルシアノアクリラートモノマーからなる生体適合性粘着剤組成物を含む第一の容器；及び
重合化開始剤又は促進剤からなり、
ここで前記重合化開始剤又は促進剤は四級アミンであって、
ここで前記少なくとも一つのモノマーは下記の化学式を有し、
【化５】
2004505121.tif 000005
ここでＲ１とＲ２は独立した水素、直鎖の、分枝した又は環状のアルキル基であるか、又は環状アルキル基中で連結しており、かつＲ３は直鎖の、分枝した又は環状のアルキル基である、前記キット。
【請求項２２】
前記重合化開始剤又は促進剤が前記モノマーと接触しない分離した容器に収納されている、請求項２１記載のキット。
【請求項２３】
請求項２２記載のキットであって、該キットにおいて前記重合開始剤又は促進剤が下記の化学式を有し、
【化６】
2004505121.tif 000006
ここで、Ｒ４、Ｒ５、Ｒ６とＲ７は各々独立した水素又は置換された又は置換されていない直鎖、分枝した又は環状のアルキル基；置換された又は置換されていない芳香族基；置換された又は置換されていないアラルキル（ａｒａｌｋｙｌ）基；又は一つ又はそれ以上のヘテロ原子を含んでいる置換された又は置換されていないアルキル基又は芳香族基であり；かつＸ−が陰イオンである、前記キット。
【請求項２４】
Ｒ４、Ｒ５、Ｒ６とＲ７の少なくとも一つが、芳香族環及びヘテロ原子を含有する結合（ｌｉｎｋａｇｅ）からなる群から選択されたメンバーの少なくとも一つである、請求項２３記載のキット。
【請求項２５】
Ｘ−がハロゲンラジカルである、請求項２３記載のキット。
【請求項２６】
前記重合化開始剤又は促進剤が、臭化ドミフェン、塩化ブチリルコリン、臭化ベンザルコニウム及び塩化アセチルコリンから成る群から選択された、少なくとも一つのメンバーである、請求項２１記載のキット。
【請求項２７】
重合フィルムであって、該重合フィルムは第一のモノマー種と、該第一のモノマー種と異なった第二のモノマー種との重合より形成され、ここで少なくとも前記第一のモノマー種は吸収性であって、かつ、前記第一のモノマー種の吸収速度は前記第二のモノマー種の吸収速度と異なっており、
ここで前記第一のモノマー種は、アルキルエステルシアノアクリラートモノマー及びアルキルエーテルシアノアクリラートモノマーの中の少なくとも一つからなり、
ここで前記アルキルエステルシアノアクリラートは下記の化学式を有し、
【化７】
2004505121.tif 000007
ここでＲ１とＲ２は独立した水素、直鎖の、分枝した又は環状のアルキル基であるか、又は環状アルキル基中で連結しており、かつＲ３は直鎖の、分枝した又は環状のアルキル基であり、
かつ前記アルキルエーテルシアノアクリラートは下記の化学式を有し、
【化８】
2004505121.tif 000008
ここでＲ１は直鎖の、分枝した又は環状のアルキル基であり、かつＲ２は直鎖、分枝した又は環状のアルキル基である、前記重合フィルム。